(57)【要約】      （修正有）【課題】家庭のあらゆる場所で安心して使用でき、出力電圧を選択変更できる、小型で安全な電源アダプターを得る。【解決手段】磁気共鳴を用いた非接触電力伝送電源アダプター１０により、給電側ユニット１１と受電側ユニット１２を構造的に分離してその間に中空部分１３を作ることにより両ユニットが分離していることを目視確認可能となり、感電などを心配せず安心して使用できる構造とする。出力電圧切り替え機能により、複数の電源の規格に切り替えて使用できる機能を備えることにより多くの小型家電製品に使用可能とする。【選択図】図１
2013070544.tif 000002
【特許請求の範囲】
【請求項１】
磁気共鳴を用いた非接触電力伝送電源アダプターであって、給電側ユニットと受電側ユニットの間に一定距離の間隔を持たせて中空状態作り、給電側ユニットと受電側ユニットが分離されていることを、目視で確認可能な構造としたことを特徴とする非接触電力伝送電源アダプター。
【請求項２】
磁気共鳴を用いた非接触電力伝送電源アダプターであって、複数の電源規格に対応した出力を得るための出力切り替え機能を備えたことを特徴とする非接触電力伝送電源アダプター。
【発明の詳細な説明】
【技術分野】
【０００１】
本発明は、非接触電力伝送を使用した電源アダプターであり、現存する電源の形態として１次電池を使用しているもの、２次電池を内蔵しているもの及び電源アダプターの直流出力にて直接動作させるもの等が有るが、それらの小型の家電機器に使用して有効な電源アダプターの技術に関するものである。
【背景技術】
【０００２】
図４は従来より使用されている電源アダプターの例を示している。一般的に電源アダプターは携帯用端末や小型家電製品等に広く用いられている。
電源アダプターは、商用電源のコンセントより交流１００Ｖを入力に使用して所定の直流電圧に変換後出力するものであり、端末に接続するための出力コードとその先端部に所定の端末接続用プラグが設けられている。この出力端末接続用プラグは、接続される機器の仕様、規格に従ったものが個別に用意されている。
【０００３】
特許文献１の特開２００１−２５８２６０に携帯用端末等の充電に用いられる電源アダプターが記されている。ＡＣ１００Ｖから所定の直流電圧を取り出し、２次電池の充電や直接動作に使用する電源を供給する一般的なＡＣアダプターである。
給電側と受電側を磁気的に共振させて結合する方式ではなく、給電側と受電側を構造的に分離したものでもなく出力される電圧を変更できる機能も備えていない。
特許文献２の特開平１１−１８７５８２に電磁誘導電源が記されている。給電側から受電側へ磁気共鳴コードレス伝送にて安定した電力を供給する電源装置であり、回路特性の変動を抑制する電気回路の工夫が記されている。
電源アダプターについて記したものではなく出力電圧を切り替えて異なる機器にも共通に使用できる構造ではない。更に給電側と受電側の間に中空の部分を設けて給電側ユニットと受電側ユニットを位置的に分離して目視確認できる構造でもない。
【先行技術文献】
【特許文献】
【０００４】
【特許文献１】特開２００１−２５８２６０
【特許文献２】特開平１１−１８７５８２
【発明の概要】
【発明が解決しようとする課題】
【０００５】
小型家電機器には、例えば電動歯ブラシなど１次電池で使用される機器、電気カミソリのように２次電池で使用される機器、その他にコンセントから電源を取り専用の電源アダプターで出力された規定の直流電圧で使用する機器と多種多様な電源形態が存在するが、これらの小型の家電機器に使用される電源アダプターは機器ごとに異なった個別のものが用意されているのが通常である。
しかし電源仕様の統一が進めば電源アダプターを共通に使用可能となること、１次電池や２次電池を組み込まない構造が可能となることから、機器の簡素化と軽量化が可能となり製品のコストダウンがもたらされる。
そのためには広く利用を促進するために、使用場所を限定しない例えば洗面所など水を使う場所でも安心して利用できる安全性と、旅行先でも使用するために携帯が容易であるなど使用環境を選ばないでどこででも使用できる電源アダプターが望まれている。
【課題を解決するための手段】
【０００６】
本発明の電源アダプターでは、非接触電力伝送により受電側に電力を供給する。給電側ユニットと受電側ユニットを構造的に分離させ両者の間に中空の部分を設け電気的に両者が接続されていないことを目視確認できる構造とする。
複数の異なる規格の出力を得るための切り替え手段を備え、使用電圧の異なる複数の小型家電機器に共通して利用可能とする。
【発明の効果】
【０００７】
使用者には、給電側ユニットと受電側ユニットの間に中空の部分が存在し、しかも給電側と受電側を接続しているポストの素材が透明で内部に電気を通す仕組みが組み込まれていないことが目視確認できることにより、入力の交流電源と使用機器に供給される出力の間が電気的に隔絶されていることが容易に理解でき、感電を心配することなく安心して本発明の電源アダプターを利用して小型家電機器の使用が可能となる。
【０００８】
本発明の電源アダプターから、異なる規格の電力を複数種類出力可能なことから、機器ごとに用意されている専用の電源アダプターが不要となること、各機器の電源の入力条件を規格統一化することにより機器設計の効率化と共に使用部品とユニットの互換性、汎用性が広がり製品のコストダウンが可能となる。
電源アダプターから供給される電力を直接利用することで、１次電池と２次電池をそれぞれ不要とし、使用者の運用コストの節減が可能となり、２電池の収容が不要となることから機器の構造を簡素化軽量化でき製品価格の抑制が可能となる。
【図面の簡単な説明】
【０００９】
【図１】全体斜視図
【図２】全体構造図
【図３】電気回路ブロック図
【図４】既存電源アダプターの例
【発明を実施するための形態】
【００１０】
図１は本発明の電源アダプターの全体斜視図を示す。電源アダプター給電側ユニット（１１）と受電側ユニット（１２）より構成され、連結ポスト（１４）により相互に連結されており中間部分に中空部（１３）が設けられている。
給電側ユニット（１１）に入力用のブレード（１８）を備え、出力側に出力用の出力コード（１６）と端末接続用プラグ（１７）を備えている。
給電ユニット（１１）と受電ユニット（１２）は、連結ポスト（１４）により連結されて一定の間隔を保っている。連結ポスト（１４）は透明素材を用いて給電側と受電側を結ぶ電気的仕組みがポスト内部に通されていないことを目視により容易に判断可能な状態とするのが良い。
本電源アダプターの出力について、出力切り替えスイッチ（１５）により切り替えて複数種類の出力を得られる機能を備えているが、給電側ユニット（１１）と受電側ユニット（１２）を連結している連結ポスト（１４）部分で外して分離し、他の給電又は受電ユニットと対応させて更に出力可能な電源種類を増加させることが可能である。
【００１１】
図３を用いて、電源アダプター給電側の構成と機能について説明する。電源アダプター給電側ユニット（１１）は入力の交流１００Ｖを直流に変換する交流・直流変換回路（２１）と、発振回路（２２）が作り出す所定のトリガーにより給電側コイル駆動回路（２３）が給電側コイル（２４）を励振させることにより、受電側コイル（２５）を共振させ電力伝送を行う。
【００１２】
図２に示されるように、給電側ユニット（１１）には、商用電源コンセントに対応するブレード（１８）が設けられている。図示は省略しているが、このブレード（１８）は、収納と持ち運びに適するよう、アダプター本体に形成された収納凹部に折りたたむことにより突起を無くする構造としても良い。
【００１３】
図３において受電側の動作は、給電側から受電側コイル（２５）にコードレス伝送された交流を直流に変換した後に規定電圧に変換して出力する。
出力コード（１６）は受電側ユニット（１２）から引き出され先端部には端末接続用プラグ（１７）が備わっており使用機器に電力を供給する。端末接続プラグ（１７）の形状は出力規格のグループに従い、混同した使用を避けるための形状と色等による区別を設けると良い。更に本発明では出力コード（１６）の先端に形状の異なる複数の端末接続プラグ（１７）を備え使用機器に応じて合致する接続プラグを選択して使用することを可能とする。
【００１４】
図１に示す如く受電側に出力規格を選択変更して所定の出力電力を得る出力切り替えスイッチ（１５）を備えている。出力を切り替えることにより複数の機器に対応した電力を供給することが可能となる。更に給電ユニットと受電ユニットを連結している連結ポスト（１４）を取り替えるか連結ポストの取り付け位置を変更することにより両者の間隔を変更して出力の規格を変更する機能をも備えている。
端末に向けて出力される電圧などの出力状態を、使用者に表示するインジケータランプを設けて使用者の利便性を図る機能を備えても良い。
出力コード（１６）の先端部に備わる端末接続プラグ（１７）について、機器ごとに異なるプラグに対応が必要なときは変換アダプターを接続して使用することも良い。
【符号の説明】
【００１５】
１０  非接触電力伝送電源アダプター
１１  給電側ユニット
１２  受電側ユニット
１３  中空部
１４  連結ポスト
１５  出力切り替えスイッチ
１６  出力コード
１７  端末接続プラグ
１８  ブレード
２１  交流・直流変換回路
２２  発振回路
２３  給電側コイル駆動回路
２４  給電側コイル
２５  受電側コイル
２６  交流・直流変換回路
２７  定電圧回路
２８  出力電圧制御回路
【図１】
2013070544.tif 000003
【図２】
2013070544.tif 000004
【図３】
2013070544.tif 000005
【図４】
2013070544.tif 000006